(57)【要約】【課題】  ベッド上の患者や高齢者の異常を、誤報なく確実に通報することを可能とする。【解決手段】ベッドや布団上の患者や高齢者の背部に心拍、呼吸を検出する検出手段と、頭部に離床を検出する検出手段を置き、頭部の検出手段が作動しており、背部の心拍、呼吸検出手段が異常検出した時だけ通報ユニットを介して通報する。【選択図】図1
2009055975.tif 000002
【特許請求の範囲】
【請求項１】
患者や高齢者のベッドや布団の背部に心拍、呼吸を検出する検出手段と、頭部に離床を検出する検出手段を備え、心拍、呼吸の異常検出時、頭部の検出手段が作動している時のみ異常通報することを特徴とした装置。
【請求項２】
請求項１の頭部の検出手段において、プレート上に設置された押圧センサーを２枚以上ｎ枚にした押圧用プレートで押圧できるようにしたことを特徴とする装置。
【請求項３】
請求項２の頭部検出手段の装置を布状の袋に挿入し、ファスナーで止めて収納できることを特徴とした装置。
【請求項４】
請求項１の装置において、ナースコール用ボタンを設け、ナースコールセンター等への通報と、電話回線を介しての通報を同時におこなえることを特徴とした装置。
【発明の詳細な説明】
【技術分野】
【０００１】
本発明は、ベッドや布団上の患者や高齢者の心拍、呼吸の異常を通報する装置で、真の異常による検出か、離床や徘徊による検出であるかを判別して異常時のみの検出を通報する異常検出通報装置に関するものである。
【背景技術】
【０００２】
従来は、ベッドや布団上の患者や高齢者の背部位置に心拍、呼吸で異常を検出する装置を置き、異常が検出された時、通報していた。
また、人がベッドや布団上にいることを検出する装置と、心拍、呼吸で異常を検出する装置を一つのマットの中に入れて背部位置に置く装置であった。（例えば特許文献１参照）
【０００３】
背部位置で異常を検出する装置では、トイレ等で離床する時間等を設定する方法が取られているものもあるが、設定時間内に着床できなかった場合、または徘徊の場合でも心拍、呼吸の異常として通報していた。
【０００４】
また、患者や高齢者がベッドや布団上にいることを検出する装置と、心拍、呼吸で異常を検出する装置を一つのマットに入れる装置では、ベッドや布団上の寝位置や寝姿によって、患者や高齢者の有無に対する誤検知の恐れがあり、誤検知を防ぐために複雑な装置となっていた。
【０００５】
また、従来の異常検出通報装置では、異常検出による通報のみで、苦痛や異常を伝えたい時、患者や高齢者の意思で通報することができなかった。
【特許文献１】特開２００１−１２０５０７号  公報
【発明の開示】
【発明が解決しようとする課題】
【０００６】
本発明は、上記課題を解決するため第１の課題は、介護を必要とする患者や高齢者の心拍や呼吸の異常検出が真の異常であるか離床や徘徊によるものであるかを判断して、真の異常だけを通報すること。
【０００７】
第２の課題は、ベッドや布団上の人患者や高齢者の有無を確実に検知できる簡単な装置にすること。
【０００８】
第３の課題は、患者や高齢者が自分の意志で通報できること。
【課題を解決するための手段】
【０００９】
本発明は、上記課題を解決するため、第１の発明はベッドや布団上の患者や高齢者の背部に心拍、呼吸を検出する検出手段と、頭部に離床を検出する検出手段を置き、頭部の検出手段が作動しており、背部の心拍、呼吸検出手段が異常検出した時だけ通報ユニットを介して通報する装置。
【００１０】
第２の発明は、ベッドや布団上に患者や高齢者がいるか、ベッドから離れた状態なのかを検出する頭部の検出手段として、プレート上にテープ又は棒上の押圧センサーを設ける。センサーを押圧する押圧プレートは押圧プレートを２枚以上ｎ枚にして、頭の移動や寝返り等に関係なく常に押圧センサーを検出できる装置。
【００１１】
第３の発明は、第２の発明の２枚以上ｎ枚の押圧プレートをスムースに作動できるように頭部の検出手段を布状の袋に挿入し、開口部をファスナーで止めるようにした装置。
【００１２】
第４の発明はベッドや布団上の患者や高齢者が自分の意志で通報できるようコールボタンを設け、ボタンを押すことでナースコールセンター等への通報と同時に通報ユニットを介して電話回線で通報できる装置。
【発明の効果】
【００１３】
本発明の異常検出通報装置では、ベッドや布団上の患者や高齢者の背部の心拍、呼吸の異常検出手段と、頭部の検出手段の構成で、離床の時は心拍、呼吸の検出手段が異常と検出しても異常通報せず、患者や高齢者がいる時だけ通報となるため、異常時の通報が確実に行われ、対処治療の迅速化が図れる。
【００１４】
また、頭部の検出手段によって、離床を検出できるので、徘徊を未然に防ぐことができる。
【００１５】
また、病院や介護施設では、看護士、介護人が巡回中でコールセンターに不在でも電話回線により、異常を知ることができ、迅速な対応が可能となる。
【００１６】
また、電話回線による通報で、遠隔地での監視が可能になるため、独居老人等の孤独死を未然に防ぐことができる。
【００１７】
患者や高齢者はコールボタンにより、自分の意志で苦痛や異常を通報できる。
【発明を実施するための最良の形態】
【００１８】
以下、本発明の実施の形態を図面に基づいて説明する。
【００１９】
図１は、本発明の実施形態である異常検出通報装置の構成を示すブロック図を示す。心拍、呼吸の微妙な動きを検知することができる異常検出センサー１は、ベッド４のマットレス２の下に設置されており、患者や高齢者３の背部に配置されている。
【００２０】
異常検出センサー１は心拍、呼吸の異常有無を判定するコントローラーユニット５に接続されており、異常と判断した場合、通報ユニット９の本体制御部１０に信号を送る。
【００２１】
患者や高齢者３のマクラ７とマットレス２の間に離床を検出する頭部検出ユニット８が配置されており、通報ユニット９の本体制御部１０に、接続されている。
【００２２】
ベッド４のマットレス２上に患者や高齢者がいる状態で異常検出サンサー１が心拍、呼吸の異常を検出すると、頭部検出ユニット８が押圧されているので、通報ユニット９の図示されていない制御回路により、本体制御部１０の判定で電話を制御部１１を介して電話回線１３により異常通報される。同時にナースコールセンター１５に通報される。
【００２３】
患者や高齢者３が離床すると異常検出センサー１は心拍、呼吸を異常として検出するが、頭部検出ユニット８が作動していないので、通報ユニット９の本体制御部１０の判定によって通報されない。
【００２４】
通報ユニット９には警報ブザー１２が装備されており、異常通報時警報音を発報することができる。
【００２５】
ベッド４、または近くに配備されているナースコールボタン１６は、ナースコールセンター１５と、通報ユニット９の本体制御部１０に接続されており、患者や高齢者３がナースコールボタン１６を押すとナースコールセンター１５に通報すると同時に電話回線１３を介して通報することができる。
【００２６】
ナースコールセンター１５とは、例えばベッド４の近傍の壁１８に設置されているスピーカーとマイク１７で会話が可能となる。看護士や介護人が巡回などでナースコールセンター１５に不在の時は、電話回線１３を介して携帯電話等で通報を受けるので、すぐ駆けつける等の対応が可能である。
【００２７】
図２，図３，図４において、押圧センサーユニット２７と布状の袋２５で構成された頭部検出ユニット８の実施形態を示す。
【００２８】
図２において押圧ユニット２７は、プレート１９上に荷重をかけることにより電極が湾曲し、回路がオンとなるテープ状又は棒状の押圧センサー２０が固定してある。押圧センサー２０は作動する押圧プレート２１ａ，２１ｂが蝶番２２ａ，２２ｂでプレート１９に取り付けてある。押圧プレート２１は２枚以上ｎ枚とし、押圧プレート２１側のどの位置で押圧しても押圧センサー２０が作動するようになっている。
【００２９】
図３において、布状の袋２５の開口部にはファスナー２６ａ，２６ｂが取り付けられており、押圧センサーユニット２７を収納した時、リード線２３が無理なく引出せる方式となっている。
【図面の簡単な説明】
【００３０】
【図１】本発明の実施形態を示す異常検出通報装置のブロック図を示す。
【図２】頭部検出ユニットの押圧センサーユニット平面図を示す。
【図３】頭部検出ユニットの構成斜視図を示す。
【図４】頭部検出ユニットの布状袋への挿入方法斜視図を示す。
【符号の説明】
【００３１】
１  異常検出センサー
２    マットレス
３    患者や高齢者
４    ベッド
５    コントローラーユニット
７    マクラ
８    頭部検出ユニット
９    通報ユニット
１０    本体制御部
１１    電話制御部
１３    電話回線
１５    ナースコールセンター
１６    ナースコールボタン
１７    スピーカーとマイク
１９    プレート
２０    押圧センサー
２１ａ  押圧プレート
２２ａ  蝶番
２３    リード線
２５    布状の袋
２６ａ  ファスナー
２７    押圧センサーユニット
【図１】
2009055975.tif 000003
【図２】
2009055975.tif 000004
【図３】
2009055975.tif 000005
【図４】
2009055975.tif 000006